(57)【要約】【課題】使い勝手に悪影響が出ることを抑えつつ不特定多数の監視対象物を監視・管理するための動作制御の複雑化を抑制することができる管理システム並びに当該管理システムを簡素に構成することができる管理装置、管理ユニット及び選定方法を提供する。【解決手段】管理システム１は、電池セル１１を監視する監視装置２１と、監視装置２１で測定された測定データや電池セル１１が正常であるか否かを表す状態情報を記録する管理装置３０とを有する蓄電ユニットＡ１〜Ａ５を備える。蓄電ユニットＡ１〜Ａ５の管理装置３０のうち何れか一つは、マスター管理装置３１として機能し、蓄電ユニットＡ１〜Ａ５の電池セル１１についての測定データ及び状態情報を上位管理システムＢに送信する。マスター管理装置３１は、全管理装置３０が互いに管理装置ＩＤを送受信して共有し、管理装置ＩＤ群のうち最小の管理装置ＩＤが自己の管理装置ＩＤと一致するか否かにより定める。【選択図】図１
2011215029.tif 000002
【特許請求の範囲】
【請求項１】
監視対象物を監視する管理ユニットを複数備える管理システムであって、
前記管理ユニットの各々は、前記監視対象物を監視して前記監視対象物に関する監視対象情報を生成する監視装置と、前記監視装置から前記監視対象情報を得る管理装置と、他の管理ユニットの管理装置とデータの送受信を行うローカル通信手段とを備え、
前記各管理ユニットの管理装置は、
前記監視対象情報を記録する記憶手段と、前記ローカル通信手段と接続可能な第１通信手段と、当該記憶手段と当該第１通信手段とに接続された制御手段とを有し、
前記各管理装置は、前記第１通信手段から管理装置ＩＤを前記ローカル通信手段を介して他の管理装置に送信すると共に他の管理装置から管理装置ＩＤを受信して前記記憶手段に記録し、
前記制御手段にて前記記憶手段に格納されている前記管理装置ＩＤ群と自分自身の管理装置ＩＤとを対比して、各管理装置に共通に設定された選択基準に当該自分自身の管理装置ＩＤが合致すると判断した場合には自身をマスターの管理装置として認識し、当該選択基準に当該自分自身の管理装置ＩＤが合致しない場合には自身をスレーブの管理装置として認識するマスターの選定処理を実行し、
前記マスターとして選定された管理装置は、前記記憶手段に記録している前記監視対象情報を前記監視対象物の集中管理を行う上位管理システムにデータ送信が行われる
ことを特徴とする管理システム。
【請求項２】
請求項１に記載する管理システムにおいて、
前記各管理ユニットの管理装置は、制御手段にて、自分自身の管理装置ＩＤ及び前記記憶手段に記録した前記管理装置ＩＤ群を用いて順位づけし、この管理装置ＩＤの順序に基づいて自分自身のアドレスを設定することを特徴とする管理システム。
【請求項３】
請求項１又は請求項２に記載する管理システムにおいて、
前記各管理装置に共通に設定された選択基準は前記管理装置ＩＤ群から最大又は最小の管理装置ＩＤを選択するものとする
ことを特徴とする管理システム。
【請求項４】
請求項１〜請求項３の何れか一項に記載する管理システムにおいて、
前記各管理ユニットの管理装置は、管理装置ＩＤのほかに前記上位管理システムと通信を可能とする第２通信手段を有するか否かを表す付加情報を他の管理装置に送信すると共に他の管理装置から管理装置ＩＤ及び付加情報を受信し、
前記各管理装置に共通に設定された選択基準には、前記付加情報も加味する
ことを特徴とする管理システム。
【請求項５】
請求項１〜請求項４の何れか一項に記載する管理システムにおいて、
前記各管理ユニットの管理装置は、管理装置ＩＤの受信待機時間内に他の管理装置から管理装置ＩＤを受信し、該受信待機時間経過後に、受信済の管理装置ＩＤと送信した自分自身の管理装置ＩＤとを管理装置ＩＤ群として前記マスターの選定を行う
ことを特徴とする管理システム。
【請求項６】
請求項１〜請求項５の何れか一項に記載する管理システムにおいて、
前記監視対象物は電池セルであり、前記監視対象情報は前記電池セルの電圧、電流、温度の少なくとも１つの測定データを含む
ことを特徴とする管理システム。
【請求項７】
監視対象物を監視する監視装置から当該監視対象物に関する監視対象情報を得る管理装置であって、
管理装置ＩＤを他の管理装置に送信すると共に他の管理装置から管理装置ＩＤを受信する通信手段と、
前記他の管理装置から受信した管理装置ＩＤを記録する記憶手段と、
前記記憶手段及び前記通信手段に接続され、前記記憶手段に記録されている前記管理装置ＩＤ群と自分自身の管理装置ＩＤとを対比して、各管理装置に共通に設定された選択基準に当該自分自身の管理装置ＩＤが合致すると判断した場合には自身をマスターの管理装置として認識し、当該選択基準に当該自分自身の管理装置ＩＤが合致しない場合には自身をスレーブの管理装置として認識するマスターの選定処理を実行する制御手段と、を有し、
前記マスターとして選定された管理装置は、前記記憶手段に記録している前記監視対象情報を外部へ送信可能となる
ことを特徴とする管理装置。
【請求項８】
請求項７に記載する管理装置において、
前記制御手段は、自分自身の管理装置ＩＤ及び前記記憶手段に記録した前記管理装置ＩＤ群を用いて順位づけし、この管理装置ＩＤの順序に基づいて自分自身のアドレスを設定する機能を有することを特徴とする管理装置。
【請求項９】
請求項７又は請求項８に記載する管理装置と、前記監視対象物と、前記監視装置とを備える
ことを特徴とする管理ユニット。
【請求項１０】
監視対象物を監視して前記監視対象物に関する監視対象情報を管理する管理装置を複数備えた管理システムにおいて、前記複数の管理装置の前記監視対象情報を外部へ送信する処理を実行するマスターとしての管理装置を選定する選定方法であって、
各管理装置は、
自分自身の管理装置ＩＤを他の管理装置に送信すると共に他の管理装置から受信した管理装置ＩＤを記憶手段に記録し、
前記記憶手段に記録された管理装置ＩＤと自分自身の管理装置ＩＤとを対比して、各管理装置に共通に設定された選択基準に当該自分自身の管理装置ＩＤが合致すると判断した場合には自身をマスターの管理装置として認識し、当該選択基準に当該自分自身の管理装置ＩＤが合致しない場合には自身をスレーブの管理装置として認識する
ことを特徴とする選定方法。
【請求項１１】
請求項１０に記載する選定方法において、
前記各管理装置は、自分自身の管理装置ＩＤ及び前記記憶手段に記憶した前記管理装置ＩＤ群を順位づけし、この管理装置ＩＤの順序に基づいて自分自身のアドレスを設定する機能を有することを特徴とする選定方法。
【発明の詳細な説明】
【技術分野】
【０００１】
本発明は、管理システム、管理装置、管理ユニット及び選定方法に関し、特に、リチウムイオン電池等の二次電池を、公衆回線を介して上位管理システムで監視する場合に適用して有用なものである。
【背景技術】
【０００２】
リチウムイオン電池に代表される二次電池は、様々な産業分野で使用されてきている。最近では、電気自動車用として、さらには家庭用として大型で大容量の二次電池が広く用いられるようになってきている。そのような二次電池の大容量化に伴い、二次電池を複数個直列に接続して二次電池の監視を行う蓄電池システムが構成され、尚且つそれら蓄電池システムを複数個並列に接続することで大容量の蓄電池システムが構成されている。
【０００３】
このため、大容量の蓄電池システムを構成する複数の蓄電池システム各々を管理する電池管理装置も複数個必要となる。さらに、大容量の蓄電池システムの場合はこれら複数の電池管理装置に対応可能な多機能な上位の管理制御装置（上位管理システム）が必要とされる。
【先行技術文献】
【特許文献】
【０００４】
【特許文献１】特開２００２−１３５２５２号公報
【特許文献２】特開２００２−３５３９８５号公報
【発明の概要】
【発明が解決しようとする課題】
【０００５】
蓄電池システムを複数並列に接続して大容量の蓄電システムを構築する場合、上位管理システムは、複数の蓄電池システムにおける電池管理装置のそれぞれとのデータの送受信のタイミング制御やどの電池管理装置から送信されたデータであるかを把握するなど、複数の電池管理装置とのアクセスを前提とした様々な機能を有する必要がある。このため、上位管理システムにおける複数の電池管理装置とのアクセス管理・制御は複雑化する。また、このようなデータの送受信や制御を行うに先立ち、複数の電池管理装置にそれぞれのアドレスを設定する必要がある。
【０００６】
このような、上位装置が複数の対象物とデータの送受信や制御を行うに際し、この対象物それぞれを特定することができるように各対象物に対するアドレスを設定する技術が開示されている（例えば、特許文献１参照。）。
【０００７】
しかしながら、特許文献１で開示されている技術は、いずれも各装置のアドレスを自動的に決定することを開示しているに過ぎず、上位装置（上位管理システム）と複数の対象物（電池管理装置）との間での通信制御の複雑化を改善するものではない。例えば、特許文献１に開示の技術では、製造番号を用いて子機のアドレス設定のために、親機は各子機と多数回の通信を実行し、その通信の結果に基づく判定処理や新アドレス設定処理等を行う必要性が生ずる。特に、子機が新たに追加された場合に同様なアドレス設定処理をその都度実行することとなると、その動作制御は複雑なものとなる。また、特許文献２に開示の技術では、マスター通信ユニットからのＷＡＫＥ信号をトリガにしてリング状に接続された複数のスレーブ通信ユニットが順次アドレス設定をしていくものであり、通信回数も減ることから特許文献１に比べて動作制御の複雑化を抑制することは期待できるものの、通信ユニットをリング状に接続することが必須となり、新たな通信ユニットの追加が容易にできないため、この点で使い勝手が損なわれることとなる。
【０００８】
また、特許文献２では、通信ユニット間でのデータ通信を考慮したものであり、マスター通信ユニットも予め決められており、このマスター通信ユニットからの指示で複数のスレーブ通信ユニットのアドレスを決める技術を開示するに過ぎない。言い換えると、特許文献２は複数の蓄電システム間での通信についての開示をしているに過ぎず、上位管理システムが監視・管理する複数の蓄電システム（内の電池管理装置）との通信に関する動作制御の複雑化等の課題についても考慮されたものではない。
【０００９】
このような問題は、二次電池を備える蓄電池システムを複数備えた大容量の蓄電池システムに限らず、種々の監視対象物を備える管理ユニットを複数備え、これらの複数の管理ユニットを上位管理システムで監視・管理する管理システムを構築する場合にも同様に存在する。
【００１０】
本発明は、このような事情に鑑み、使い勝手に悪影響が出ることを抑えつつ不特定多数の監視対象物を監視・管理するための動作制御の複雑化を抑制することができる管理システム並びに当該管理システム実現するための好適な機能を有する管理装置、管理ユニット及び選定方法を提供することを目的とする。
【課題を解決するための手段】
【００１１】
上記目的を達成するための第１の態様は、監視対象物を監視する管理ユニットを複数備える管理システムであって、前記管理ユニットの各々は、前記監視対象物を監視して前記監視対象物に関する監視対象情報を生成する監視装置と、前記監視装置から前記監視対象情報を得る管理装置と、他の管理ユニットの管理装置とデータの送受信を行うローカル通信手段とを備え、前記各管理ユニットの管理装置は、前記監視対象情報を記録する記憶手段と、前記ローカル通信手段と接続可能な第１通信手段と、当該記憶手段と当該第１通信手段とに接続された制御手段とを有し、前記各管理装置は、前記第１通信手段から管理装置ＩＤを前記ローカル通信手段を介して他の管理装置に送信すると共に他の管理装置から管理装置ＩＤを受信して前記記憶手段に記録し、前記制御手段にて前記記憶手段に格納されている前記管理装置ＩＤ群と自分自身の管理装置ＩＤとを対比して、各管理装置に共通に設定された選択基準に当該自分自身の管理装置ＩＤが合致すると判断した場合には自身をマスターの管理装置として認識し、当該選択基準に当該自分自身の管理装置ＩＤが合致しない場合には自身をスレーブの管理装置として認識するマスターの選定処理を実行し、前記マスターとして選定された管理装置は、前記記憶手段に記録している前記監視対象情報を前記監視対象物の集中管理を行う上位管理システムにデータ送信が行われることを特徴とする管理システムにある。
【００１２】
かかる第１の態様では、マスター管理装置を予め設定することなく、複数の管理装置から自動的にマスター管理装置を設定することができる。これにより、各管理装置にマスター又はスレーブとして機能させるための設定を予めしておく手間を省くことができる。さらに、複数の管理装置の中から自動的に上位管理システムとの通信が可能なマスター管理装置を決定するように構成されているため、上位管理システムは、この決定したマスター管理装置との通信を行うことで、その通信制御に関する回路やプログラムを簡易に構築することができる。また、他の管理装置の増減があったとしても、各管理装置が自分自身をマスター又はスレーブの何れであるかを決定するための処理動作自体は変更が必要となるものではないため、各管理装置におけるプログラム等のソフトウェアの変更の必要性を抑制し、他の管理装置の増減に対しても容易に対応することができるものとしている。
【００１３】
本発明の第２の態様は、第１の態様に記載する管理システムにおいて、前記各管理ユニットの管理装置は、制御手段にて、自分自身の管理装置ＩＤ及び前記記憶手段に記録した前記管理装置ＩＤ群を用いて順位づけし、この管理装置ＩＤの順序に基づいて自分自身のアドレスを設定することにある。
【００１４】
かかる第２の態様は、複雑な方法を用いることなく、マスター・スレーブの関係が自動的に決まると共に、各管理装置のアドレスも自動的に定まるので、アドレスの設定に時間がかかることを抑えることができる。また、他の管理装置の増減があったとしても、アドレス設定のための処理動作自体は変更が必要となるものではないため、各管理装置におけるプログラム等のソフトウェアの変更の必要性を抑制し、他の管理装置の増減に対しても容易に対応することができるものとしている。
【００１５】
本発明の第３の態様は、第１又は第２の態様に記載する管理システムにおいて、前記各管理装置に共通に設定された選択基準は前記管理装置ＩＤ群から最大又は最小の管理装置ＩＤを選択するものとすることを特徴とする管理システムにある。
【００１６】
かかる第３の態様では、管理装置ＩＤ群から容易に一つの管理装置ＩＤを選択することができる。
【００１７】
本発明の第４の態様は、第１〜第３の何れか一つの態様に記載する管理システムにおいて、前記各管理ユニットの管理装置は、管理装置ＩＤのほかに前記上位管理システムと通信を可能とする第２通信手段を有するか否かを表す付加情報を他の管理装置に送信すると共に他の管理装置から管理装置ＩＤ及び付加情報を受信し、前記各管理装置に共通に設定された選択基準には、前記付加情報も加味することを特徴とする管理システムにある。
【００１８】
かかる第４の態様では、上位管理システムとの通信を可能とする第２通信手段を有してマスター管理装置となりうる管理装置の管理装置ＩＤのみを対象として一つの管理装置ＩＤを選択する。これにより、マスターとする管理装置ＩＤの選定に要する時間を短縮することができる。
【００１９】
本発明の第５の態様は、第１〜第４の何れか一つの態様に記載する管理システムにおいて、前記各管理ユニットの管理装置は、管理装置ＩＤの受信待機時間内に他の管理装置から管理装置ＩＤを受信し、該受信待機時間経過後に、受信済の管理装置ＩＤと送信した自分自身の管理装置ＩＤとを管理装置ＩＤ群として前記マスターの選定を行うことを特徴とする管理システムにある。
【００２０】
かかる第５の態様では、管理装置に故障が発生した場合や管理システムを構成する管理装置の台数が未知の場合であっても、管理装置ＩＤの受信待機時間を設けて必要な管理装置ＩＤを受信するようにしているので、管理装置ＩＤの受信にかかる時間が長くなることを抑えつつスター管理装置を選定できる。
【００２１】
本発明の第６の態様は、第１〜第５の何れか一つの態様に記載する管理システムにおいて、前記監視対象物は電池セルであり、前記監視対象情報は前記電池セルの電圧、電流、温度の少なくとも１つの測定データを含むことを特徴とする管理システムにある。
【００２２】
かかる第６の態様では、一般に監視対象物である電池セルの数が多いシステムに適用しているので、測定データとして重要な項目となる電池セルの電圧、電流、温度のうちの少なくとも１つを含むものとしたので、必要な情報を絞り込むことによる、上位管理システムとの間の通信の合理化の効果を顕著に享受し得る。
【００２３】
本発明の第７の態様は、監視対象物を監視する監視装置から当該監視対象物に関する監視対象情報を得る管理装置であって、管理装置ＩＤを他の管理装置に送信すると共に他の管理装置から管理装置ＩＤを受信する通信手段と、前記他の管理装置から受信した管理装置ＩＤを記録する記憶手段と、前記記憶手段及び前記通信手段に接続され、前記記憶手段に記録されている前記管理装置ＩＤ群と自分自身の管理装置ＩＤとを対比して、各管理装置に共通に設定された選択基準に当該自分自身の管理装置ＩＤが合致すると判断した場合には自身をマスターの管理装置として認識し、当該選択基準に当該自分自身の管理装置ＩＤが合致しない場合には自身をスレーブの管理装置として認識するマスターの選定処理を実行する制御手段と、を有し、前記マスターとして選定された管理装置は、前記記憶手段に記録している前記監視対象情報を外部へ送信可能となることを特徴とする管理装置にある。
【００２４】
かかる第７の態様では、管理装置は、制御手段により、記憶手段に記録された管理装置ＩＤと自分自身の管理装置ＩＤとを用いて自分自身がマスターかスレーブかを認識する処理を実行することができる。これにより、管理装置にマスター又はスレーブとして機能させるための設定を予めしておく手間を省くことができる。また、他の管理装置の増減があったとしても、自分自身がマスターかスレーブかを決定するための処理動作自体は変更が必要となるものではないため、プログラム等のソフトウェアの変更の必要性を抑制し、他の管理装置の増減に対しても容易に対応することができるものとしている。
【００２５】
本発明の第８の態様は、第７の態様に記載する管理装置において、前記制御手段は、自分自身の管理装置ＩＤ及び前記記憶手段に記録した前記管理装置ＩＤ群を用いて順位づけし、この管理装置ＩＤの順序に基づいて自分自身のアドレスを設定する機能を有することを特徴とする管理装置にある。
【００２６】
かかる第８の態様では、複雑な方法を用いることなく、マスター・スレーブの関係が自動的に決まると共に、各管理装置のアドレスも自動的に定まるので、アドレスの設定に時間がかかることを抑えることができる。また、他の管理装置の増減があったとしても、アドレスを設定するための処理動作自体は変更が必要となるものではないため、プログラム等のソフトウェアの変更の必要性を抑制し、他の管理装置の増減に対しても容易に対応することができるものとしている。
【００２７】
本発明の第９の態様は、第７又は第８の態様に記載する管理装置と、前記監視対象物と、前記監視装置とを備えることを特徴とする管理ユニットにある。
【００２８】
かかる第９の態様では、マスター機能を発揮する専用の管理装置を備えた管理ユニットと、スレーブとして機能する管理装置を備えた管理ユニットとを別に製造する必要が無いため、低コストで歩留まりが向上した管理ユニットを製造することができる。
【００２９】
本発明の第１０の態様は、監視対象物を監視して前記監視対象物に関する監視対象情報を管理する管理装置を複数備えた管理システムにおいて、前記複数の管理装置の前記監視対象情報を外部へ送信する処理を実行するマスターとしての管理装置を選定する選定方法であって、各管理装置は、自分自身の管理装置ＩＤを他の管理装置に送信すると共に他の管理装置から受信した管理装置ＩＤを記憶手段に記録し、前記記憶手段に記録された管理装置ＩＤと自分自身の管理装置ＩＤとを対比して、各管理装置に共通に設定された選択基準に当該自分自身の管理装置ＩＤが合致すると判断した場合には自身をマスターの管理装置として認識し、当該選択基準に当該自分自身の管理装置ＩＤが合致しない場合には自身をスレーブの管理装置として認識することを特徴とする選定方法にある。
【００３０】
かかる第１０の態様では、管理装置は、制御手段により、記憶手段に記録された管理装置ＩＤと自分自身の管理装置ＩＤとを用いて自分自身がマスターかスレーブかを認識する処理を実行することができる。これにより、管理装置にマスター又はスレーブとして機能させるための設定を予めしておく手間を省くことができる。また、他の管理装置の増減があったとしても、自分自身がマスターかスレーブかを決定するための処理動作自体は変更が必要となるものではないため、当該選定方法を用いることで、そのプログラム等のソフトウェアの変更の必要性を抑制できる。よって、他の管理装置の増減に対しても容易に対応することができる選定方法を提供することができる。
【００３１】
本発明の第１１の態様は、第１０の態様に記載する選定方法において、前記各管理装置は、自分自身の管理装置ＩＤ及び前記記憶手段に記録した前記管理装置ＩＤ群を順位づけし、この管理装置ＩＤの順序に基づいて自分自身のアドレスを設定する機能を有することを特徴とする選定方法にある。
【００３２】
かかる第１１の態様では、複雑な方法を用いることなく、マスター・スレーブの関係が自動的に決まると共に、各管理装置のアドレスも自動的に定まるので、アドレスの設定に時間がかかることを抑えることができる。また、他の管理装置の増減があったとしても、アドレスを設定するための処理動作自体は変更が必要となるものではないため、当該選定方法を用いることで、そのプログラム等のソフトウェアの変更の必要性を抑制できる。よって、他の管理装置の増減に対しても容易に対応することができる選定方法を提供することができる。
【発明の効果】
【００３３】
本発明によれば、使い勝手に悪影響が出ることを抑えつつ不特定多数の監視対象物を監視・管理するための動作制御の複雑化を抑制することができる管理システム並びに当該管理システムを簡素に構成することができる管理装置、管理ユニット及び選定方法が提供される。
【図面の簡単な説明】
【００３４】
【図１】実施形態１に係る管理システムの概略構成図である。
【図２】実施形態１に係る蓄電ユニットの回路構成図である。
【図３】実施形態１に係る管理装置の回路構成図である。
【図４】実施形態１に係る管理装置の動作のフロー図である。
【図５】実施形態１に係る上位管理システムの動作のフロー図である。
【図６】実施形態１に係る管理システムのマスター管理装置の選定及びアドレスの決定のフロー図である。
【図７】実施形態２に係る管理システムのマスター管理装置の選定及びアドレスの決定のフロー図である。
【図８】変形例に係る管理ユニットの回路構成図である。
【発明を実施するための形態】
【００３５】
以下、本発明の実施の形態を図面に基づき詳細に説明する。本形態は監視対象物を二次電池の電池セルとする電池セルの管理システムである。ただし、本発明は監視対象物を二次電池の電池セルに限定するものではない。
【００３６】
〈実施形態１〉
本発明の管理システムは複数の管理ユニットを備えて構成されるものである。図１は、管理ユニットとしての蓄電ユニットを複数備えて構成される、本実施形態に係る管理システムの概略構成を示し、図２は、図１に示す蓄電ユニットの概略構成を示している。これらの図に基づいて、管理装置、管理ユニット（蓄電ユニット）及び管理システムの構成を説明する。
【００３７】
図１に示すように、本形態に係る電池セルの管理システム１は、５つの蓄電ユニットＡ１，Ａ２，Ａ３，Ａ４，Ａ５と、上位管理システムＢとを備えている。蓄電ユニットＡ１〜Ａ５は負荷５０に対して並列に接続されている。また、蓄電ユニットＡ１〜Ａ５はローカル通信手段である通信ケーブル３３を介してデータ送受信可能に相互に接続されている。ここで、図２を用いて蓄電ユニットＡ１〜Ａ５各々の具体的な構成について説明する。なお、図２においては、蓄電ユニットＡ３〜Ａ５は、蓄電ユニットＡ１やＡ２と同様の構成であるので、蓄電ユニットＡ１、Ａ２を代表として示している。
【００３８】
蓄電ユニットの各々は、複数個が直列に接続されて組電池を構成する監視対象物である電池セル１１、電池セル１１のそれぞれに対応して設けられ電池セル１１に関する監視対象情報を形成する監視装置２１、及び管理装置３０を有している。また、管理装置３０は通信モジュール４１を有している。
【００３９】
監視対象情報とは、監視対象物である電池セル１１に関する情報である。本実施形態では、監視対象情報とは、電池セル１１の物理量（セル電圧、セル電流、セル温度等）を測定して得られた測定データや、この測定データに基づいて得られた電池セルが正常であるか否かを表す状態情報である。
【００４０】
次に、管理装置３０について説明する。図３は管理装置の回路構成図である。
管理装置３０は、制御部３５、記憶手段の一例である読み出し及び書き込みの可能なメモリ３６、通信ケーブルと接続されるＣＡＮ（Controller Area Network）通信部３７（第１通信手段）、通信モジュール４１とのインタフェースをとるためのインタフェース部３８、各種プログラムなどを格納するための読み出し専用のメモリ（Read Only Memory：以下、ＲＯＭと称する）３９とを備えている。制御部３５は、例えば、中央処理装置（Central Processing Unit：以下、ＣＰＵと称する）からなり、管理装置３０での種々の処理を実行する。より具体的には、制御部３５は、ＲＯＭ３９に書き込まれたプログラムを読み出して処理を実行することで、メモリ３６、ＣＡＮ通信部３７、インタフェース部３８の各々に対する各種制御や、監視装置２１や電磁遮断器８１の動作制御等、管理装置３０を構成する各回路部の制御全般を行う。また、詳細は後述するが、各管理装置３０の制御部３５は、ＲＯＭ３９に書き込まれたプログラムを読み出してマスター選定処理やアドレス設定処理を実行する。マスター選定のプログラムを実行した場合には、制御部３５は複数の管理装置３０からマスター機能を発揮させるものを一つ選定する処理を行い、アドレス設定のプログラムを実行した場合には、制御部３５は各管理装置３０同士で通信をする際のアドレスを設定する。
【００４１】
管理装置３０の制御部３５は、監視装置２１が測定した電池セル１１の物理量を表す測定データを取得してメモリ３６に記録（格納）する。メモリ３６に記録されている測定データはそのまま保持され、次の測定が実施されて新たな測定データが書き込まれる際に上書きされて消されるものとしてもよいし、記憶容量に余裕があれば新たな測定データとともにメモリ３６に残すようにしてもよい。メモリ３６に複数回分の測定データをメモリ３６の所定の領域に保持するように構成するのであれば、メモリ３６における所定の領域の容量を超えるようなときには古い測定データから順に消去されるように制御することが望ましい。
【００４２】
また、管理装置３０は、制御部３５により測定データに基づいて電池セルが正常であるか否かを表す状態情報を生成する。具体的には、制御部３５がメモリ３６に記録された測定データと所定の判定基準（電池セルが正常か否かを判断するために、予め定めた基準値）とを比較することで各電池セル１１が正常であるか否かを判定し、その結果を状態情報としてメモリ３６に記録する。
【００４３】
管理装置３０のＣＡＮ通信部３７は、通信ケーブル３３を介して他の管理装置３０とで互いにデータの送受信が可能になっている。ＣＡＮ通信部３７は、データの送信元や受信先のＣＡＮ通信部３７を搭載した管理装置を特定するためのアドレスが設定されている。したがって、各蓄電ユニットＡ１〜Ａ５の管理装置３０は、このアドレスを用いて特定の蓄電ユニットの管理装置３０に対してデータを送信することが可能となっている。なお、各蓄電ユニットＡ１〜Ａ５の管理装置３０のアドレスを設定する処理については後述する。
【００４４】
管理装置３０の制御部３５は、それぞれがメモリ３６に記録した測定データ及び状態情報を他の管理装置３０にＣＡＮ通信部３７を介して送信し、他の管理装置３０からＣＡＮ通信部３７を介して受信した測定データ及び状態情報をメモリ３６に記録する。つまり、蓄電ユニットＡ１〜Ａ５各々の管理装置３０のメモリ３６には、全蓄電ユニットＡ１〜Ａ５の電池セル１１に関する測定データ及び状態情報が記録されることになる。
【００４５】
また、負荷５０に対して蓄電ユニットＡ１〜Ａ５が並列に接続されるので、蓄電ユニットＡ１〜Ａ５のそれぞれの電池セル１１は並列接続され、電池セル１１の電力が外部の負荷５０に供給されるように構成されている。なお、外部の負荷５０と電池セル１１との間には、電池セル１１を遮断するための電磁遮断器８１が配設されており、管理装置３０の各制御部３５は電磁遮断器８１の開閉操作を制御することが可能に構成されている。各制御部３５は、状態情報が電池セル１１は正常で無いことを表す場合には、電磁遮断器８１を制御して電池セル１１を遮断させる制御を行う。
【００４６】
複数の蓄電ユニットＡ１〜Ａ５の各管理装置３０がそれぞれ制御部３５にてマスター選定のプログラムを実行（マスター選定処理）することで、複数の蓄電ユニットＡ１〜Ａ５の各管理装置３０のうち何れか一つは、マスターとして機能するように設定される。本実施の形態で説明する電池セルの管理システム１においては、マスターとしての機能を有する管理装置３０は、通信ケーブル３３で接続される全管理装置３０のうちのいずれか一つであって、全蓄電ユニットＡ１〜Ａ５の電池セル１１の測定データや状態情報、アライブ情報やエラー情報（詳細は後述する）を上位管理システムＢに送信するものをいう。以降、マスターとしての機能を有する管理装置３０をマスター管理装置３１とも称し、また、マスター管理装置３１以外の管理装置３０をスレーブ管理装置３２とも称する。
【００４７】
なお、メモリ３６はデータの書き込み及び読み出しが可能なメモリであれば、ダイナミックＲＡＭでもＥＥＰＲＯＭ（電気的に書き込み可能なＲＯＭ：Electrically Erasable Programmable Read Only Memory）でもよい。さらに、本実施形態では、各種動作のためのプログラムを格納するものであることから容易に書き換えされてしまわないにＲＯＭで構成するものとしたが、プログラムに対して誤って上書きしないように保護可能であれば、ＲＯＭ３９の代わりにＲＡＭを用いてもよいし、メモリ３６の所定のアドレス範囲で指定される格納領域をプログラムの格納専用なものとしてもよい。
【００４８】
複数の管理装置３０のうち、いずれがマスター機能を発揮させるかについては、管理装置３０各々が判断するものとしている。なお、自分自身がマスターなのかスレーブなのかの判定の結果は、図示せぬフラグレジスタやメモリ３６の所定の判定結果格納領域に格納しておけばよい。
【００４９】
本実施形態では、マスター選定処理により、蓄電ユニットＡ１の管理装置３０がマスター管理装置３１として機能し、その他の蓄電ユニットＡ２〜Ａ５の管理装置３０がスレーブ管理装置３２として機能するようになったものとして説明する。
【００５０】
管理装置３０には、通信モジュール４１が着脱可能に設けられるように構成されており、本実施形態では、全ての管理装置３０に通信モジュール４１が取りつけられている。通信モジュール４１は、ＰＨＳ網や携帯電話網等の無線又は有線の通信網Ｄを利用して上位管理システムＢとデータの送受信をする第２通信手段である。マスター管理装置３１は、通信モジュール４１を介して、蓄電ユニットＡ１〜Ａ５の電池セル１１の測定データや状態情報を上位管理システムＢに送信することができる。
【００５１】
ここで、マスターとしての機能を有するマスター管理装置３１について説明する。
マスター管理装置３１は、通信モジュール４１を介して、全蓄電ユニットＡ１〜Ａ５の電池セル１１が正常であるか否かを上位管理システムＢに送信する。具体的には、マスター管理装置３１の制御部３５が、マスター管理装置３１のメモリ３６に記録された全蓄電ユニットＡ１〜Ａ５の電池セル１１に関する状態情報が全て正常である旨を表しているか否かを判定する。全て正常である場合には、予め定められたタイミングで通信モジュール４１を介して全て正常であることを指示するアライブ情報を生成して上位管理システムＢに対し送信する。
【００５２】
一方、状態情報の何れかが正常でない場合には、即時に通信モジュール４１を介して正常でない状態情報に対応する電池セル１１が異常である旨を表すエラー情報を生成して上位管理システムＢに対して送信する。
【００５３】
また、アライブ情報及びエラー情報は通信情報量の可及的削減を図るべくコード信号とした。本形態におけるエラー情報にはエラーが検出された電池セル１１を有する蓄電ユニットＡ１〜Ａ５及び電池セル１１自身を特定するための情報、例えば各電池セル１１の製造番号がコード化されて付されている。このアライブ情報やエラー情報を受信する上位管理システムＢには、コード信号の示すコードが何を意味するものかを解読するためのテーブルを準備しておけば、情報量を少なくしても受信した情報の意味を容易に理解可能となる。
【００５４】
なお、アライブ情報を送信する場合にはアライブ情報のみを送信し、各電池セル１１の測定データは送信しない。ただし、上位管理システムＢから測定データの送信の要求があった場合には、測定データを上位管理システムＢに送信するようにしてもよい。これにより、上位管理システムＢでは、測定データを必要とする際に、即座に対象の電池セル１１の測定データを得ることができる。
【００５５】
上位管理システムＢは、例えば、ＣＰＵ、メモリ、通信手段等を有する一般的な情報処理装置からなる。上位管理システムＢはマスター管理装置３１が送信したアライブ情報やエラー情報等を受信して予め定められた所定の処理を行う。本形態においては、エラー情報を受信した場合、エラー情報のコードを解読することによりそのエラーを発生している蓄電ユニットＡ１〜Ａ５及び電池セル１１を特定して対応する管理担当者に通知する。ここで、管理担当者とは、例えば各蓄電ユニットＡ１〜Ａ５の保守・管理を担当する代理店やその代理店の担当者等であり、各蓄電ユニットＡ１〜Ａ５に対応させて配属されている。管理担当者には管轄毎の管理端末、例えばパソコン９１，９２が与えられている。かかるパソコン９１，９２に対する必要なデータの通信は、インターネット網Ｃを利用して行うようになっている。すなわち、上位管理システムＢは通信手段を介して管理担当者のメールアドレスにエラー内容を記載したメールを送信し、管理担当者は、パソコン９１，９２を用いて、当該メールを確認する。メールには例えばエラー内容、すなわち監視対象（例えば電圧、電流、温度等）の何れのエラーであるか、また何れの警報レベル又は異常であるか等、その程度を表示させる。
【００５６】
一方、上位管理システムＢがアライブ情報の受信を確認した場合には全ての電池セル１１が正常であると判断してそれ以上の処理はしない。すなわち、上位管理システムＢでは、アライブ情報が定期的に受信されている限り、電池セル１１に異常がないと判断し、管理担当者へ通知を行うことはしない。電池セル１１が正常な状態である場合には、公衆回線を介してアライブ情報のみを送信すれば良いこととなるので、通信にかかるコストを大幅に削減することができる。
【００５７】
上位管理システムＢは、先のアライブ情報を受信してから所定時間（例えば１時間）が経過してもアライブ情報が受信されない場合、マスター管理装置３１に対してアライブ情報の送信を要求する送信要求信号を送信する。このため、何らかの影響でアライブ情報あるいはエラー情報が上位管理システムＢで受信できなかったとしても、送信要求信号を受信したマスター管理装置３１では所定の処理を行うことによりアライブ情報又はエラー情報を上位管理システムＢに再度送信することができる。
【００５８】
上記構成を有する管理システム１における一連の動作を説明する。図４は、本実施形態にかかる管理装置の動作のフローを示す図である。
図４に示すように、マスター選定処理を行うために、蓄電ユニットＡ１〜Ａ５の管理装置３０の各々は自分自身がマスターとして機能するか、スレーブとして機能するかの判断をするマスター選定のプログラムをＲＯＭ３９から制御部３５が読み出し、マスター選定のプログラムを実行する（ステップＳ１０１）。なお、本実施の形態においては、このマスター選定のプログラムの読み出しとともに、マスター選定に続いて行われるアドレス設定のプログラムもＲＯＭ３９から制御部３５が読み出すものとしている。マスター選定処理の具体的なステップについては後述するが、このマスター選定処理における所定の判断基準に基づき、各管理装置３０は、自身がマスターとして機能すべきか否かの判断をする（ステップＳ１０２）。各管理装置３０が自分自身はマスターとして機能すべきでないと判断した際には、マスターとしての機能を発揮することを禁止し（ステップＳ１０３）、各管理装置３０が自分自身はマスターとして機能すべきと判断した際には、マスターとしての機能を発揮することを許可する（ステップＳ１０８）。次に、マスター管理装置３１、スレーブ管理装置３２は、共にＣＡＮ通信部３７で用いるアドレスを決定するアドレス設定処理のためのプログラムを実行し（ステップＳ１０９、Ｓ１０４）、通信時に管理装置それぞれを特定可能とするアドレスを決定する（ステップＳ１１０、Ｓ１０５）。
【００５９】
次に、マスター管理装置３１は監視装置２１から測定データを取得してメモリに記憶し、測定データに基づいて状態情報を生成する（ステップＳ１１１）。同様に、スレーブ管理装置３２は、監視装置２１から測定データを取得してメモリに記憶し、測定データに基づいて状態情報を生成する（ステップＳ１０６）。状態情報の生成は、上述したように各管理装置において、取得した測定データと所定の判定基準との比較により行う。
【００６０】
次に、マスター管理装置３１、スレーブ管理装置３２は、それぞれの測定データ及び状態情報を他の管理装置へＣＡＮ通信部３７を介して送信することで互いに測定データ及び状態情報を共有する（ステップＳ１１２、Ｓ１０７）。すなわち、マスター管理装置３１、スレーブ管理装置３２は、それぞれ自身が取得した測定データ及び状態情報を他方の管理装置にＣＡＮ通信部３７を介して送信すると共に、ＣＡＮ通信部３７を介して他方の管理装置から受信した測定データ及び状態データをメモリに記録する。
【００６１】
測定データ及び状態情報の送信の際には、マスター管理装置３１、スレーブ管理装置３２や電池セル１１を識別する番号と共に送信するようにしてある。このため、マスター管理装置３１及びスレーブ管理装置３２においては、測定データ及び状態情報は、どの管理装置や電池セルに関するものであるかが識別できるようになっている。
【００６２】
次に、マスター管理装置３１は、メモリに記録された状態情報に基づいてアライブ情報もしくはエラー情報を上位管理システムＢに送信する（ステップＳ１１３〜１１５）。アライブ情報及びエラー情報の生成については、上述したように、メモリに記録された全電池セル１１、１２に関する状態情報の何れもが正常であるか否かを制御部にて判定（ステップＳ１１３）し、判定の結果として何れの状態情報も正常であると判定されたならばアライブ情報を送信（ステップＳ１１４）し、当該状態情報が一つでも正常で無い旨を表すならばエラー情報を送信（ステップＳ１１５）する。情報送信の後は、ステップＳ１１１へフィードバックして定期的（本実施形態では１時間毎）に上記処理が繰り返し実行される。
【００６３】
次に、図５を用いて上位管理システムの動作について説明する。
上位管理システムＢでは、所定期間毎（本実施形態では１時間毎）にアライブ情報の受信有無を判定する（ステップＳ２０１）。アライブ情報を受けた場合には（ステップＳ２０１：Ｙｅｓ）、全蓄電ユニットＡ１〜Ａ５は正常であると判断し（ステップＳ２０２）、所定期間後（本実施形態では１時間後）に再びステップＳ２０１の判定を行うまで待機状態をとる。アライブ情報を受信しなかった場合には、エラー情報の有無を判定する（ステップＳ２０３）。エラー情報を受けた場合には（ステップＳ２０３：Ｙｅｓ）、何らかの故障等のトラブルに対するメンテナンスを促すべく管理担当者にメールによるエラー発生の通知を行う（ステップＳ２０４）。
【００６４】
さらに、エラー情報の受信も確認されなかった場合（ステップＳ２０３：Ｎｏ）は、通信環境の悪化等でアライブ情報あるいはエラー情報の受信ができなかった可能性があるため、アライブ情報の再送要求を行う（ステップＳ２０５）。
【００６５】
以上の通り、本実施形態における各管理装置及び上位管理システムは動作するものとしている。ここで、各管理装置におけるマスター選定処理及びアドレス設定処理について図面を用いて具体的に説明する。図６は各管理装置の制御部で行われるマスター選定処理及びアドレス設定処理のフロー図である。
【００６６】
具体的には、図６に示すように、まず、各蓄電ユニットＡ１〜Ａ５の管理装置３０が初期アドレス設定を行う（ステップＳ１０）。初期アドレスは、全管理装置３０のＣＡＮ通信部３７が必ず受信するアドレスとする。本実施形態では、ＣＡＮ通信部３７は、宛先アドレスが「０」であるデータは必ず受信するように構成されており、各管理装置３０は、ＣＡＮ通信部３７に初期アドレスとして「０」を設定する。
【００６７】
次に、各管理装置３０の制御部３５は、それぞれの管理装置３０を一意に識別する管理装置ＩＤを宛先アドレス「０」にＣＡＮ通信部３７を介して他の管理装置３０に送信する（ステップＳ１１）。本実施形態では、管理装置ＩＤとして、例えば、各管理装置３０のＲＯＭ３９に重複しないように記録された製造番号を用いている。したがって、制御部３５は、ＲＯＭ３９から製造番号を読み出し、ＣＡＮ通信部３７を介して他の管理装置３０に送信する。
【００６８】
次に、各管理装置３０の制御部３５は、タイマーをスタートさせる（ステップＳ１２）。そして、そのタイマーが所定時間に達する前であれば（ステップＳ１３：Ｎｏ）、他の管理装置３０の管理装置ＩＤを受信し、メモリ３６に記録する（ステップＳ１４）。タイマーが所定時間を経過した場合は（ステップＳ１３：Ｙｅｓ）、他の管理装置３０からの管理装置ＩＤの受信を打ち切る。
【００６９】
管理システム１を構成する管理装置３０の数が各管理装置３０で認識されている場合においては、各管理装置３０の制御部３５は、原則として、（自分自身を含めて）その認識されている数だけの管理装置ＩＤを受信するまで待機する。さらに、上述したように管理装置ＩＤの受信を所定時間（設定される所定時間は、すべての管理装置に故障なくＣＡＮ通信部３７を介したデータ送受信が可能な状態で、各管理装置３０がＣＡＮ通信部３７を介してデータ送受信可能に接続されている他の管理装置３０の全てからの管理装置ＩＤを受信できるに足りる時間としてある）に限ったので（ステップＳ１２〜Ｓ１４）、或る管理装置３０が故障して管理装置ＩＤを送信できなくなったとしても、故障した管理装置３０の管理装置ＩＤを受信するまで永久に待機してしまうことを回避できる。
【００７０】
また、管理システム１を構成する管理装置３０の数が各管理装置３０に設定されていない場合においては、上述したように所定時間に受信した管理装置ＩＤが以降の処理対象となり、その管理装置ＩＤの管理装置３０の何れかがマスター管理装置３１となる。
【００７１】
次に、各管理装置３０の制御部３５は、マスター選定処理を実行する（ステップＳ１５〜ステップＳ１８）。マスター選定処理では、各管理装置３０の制御部３５は、複数の蓄電ユニットＡ１の管理装置３０から所定の選択基準に基づいて、自分自身がマスターとして機能すべき管理装置となるべきか否かの判断をする。この選択基準は、全ての管理装置３０に共通である。
【００７２】
本実施形態では、選択基準は、管理装置ＩＤ群を昇順にソートし、最小の管理装置ＩＤを選ぶというものとした。つまり、各管理装置は、自己の管理装置ＩＤが、受信した他の管理装置ＩＤと比較した結果、最小の管理装置ＩＤであると判断された場合には、自分自身がマスターとして機能すべきであることを認識するものである。
【００７３】
具体的には、各管理装置３０の制御部３５は、各管理装置３０の管理装置ＩＤと、受信した他の管理装置３０からの管理装置ＩＤとからなる管理装置ＩＤ群を昇順でソートする（ステップＳ１５）。このソートした管理装置ＩＤ群のうち最小の管理装置ＩＤが、自己の管理装置ＩＤと等しいか否かを比較する（ステップＳ１６）。自己の管理装置ＩＤとは、比較を実行する制御部３５を有する管理装置３０の管理装置ＩＤである。
【００７４】
最小の管理装置ＩＤと自己の管理装置ＩＤとが等しい場合（ステップＳ１６：Ｙｅｓ）、その自己の管理装置ＩＤを有する管理装置３０（本実施形態では蓄電ユニットＡ１の管理装置３０）は、マスターとして機能するように予め準備されているマスターとしての機能の実行を許可し（ステップＳ１７）、等しくない場合（ステップＳ１６：Ｎｏ）、その自己の管理装置ＩＤを有する管理装置３０（本実施形態では蓄電ユニットＡ２〜Ａ５の管理装置３０）は、スレーブとして機能するように予め準備されているマスターとしての機能の実行することを禁止する（ステップＳ１８）。本実施形態においては、マスターとして機能する管理装置３０は、通信モジュール４１を動作させて上位管理システムＢとデータ送受信可能とし、スレーブとして機能する管理装置３０は通信モジュール４１を搭載していてもそれを動作させずに、上位管理システムＢとのデータ送受信をしないようにしている。
【００７５】
次に、各管理装置３０の制御部３５は、アドレス設定処理を実行する。具体的には、各管理装置３０の制御部３５は、先のマスター選定処理の際にソートして順序づけられた管理装置ＩＤ群を参照し、各管理装置ＩＤの順序に基づいて自己のアドレスを決定する（ステップＳ１９）。自己のアドレスとは、各管理装置３０のＣＡＮ通信部３７を介した通信のために割り振る一意なアドレスである。
【００７６】
例えば、制御部３５は、自己の管理装置ＩＤがステップＳ１５でソートした管理装置ＩＤ群のうちのＮ番目（Ｎは正の整数）であるかを算出し、そのＮに基づいて自己のアドレスを決定する。
【００７７】
表１に、ステップＳ１２〜Ｓ１４の処理を実行して得られた管理装置ＩＤ群を例示し、表２に、ステップＳ１５〜ステップＳ１９においてマスター管理装置３１、スレーブ管理装置３２及びアドレスが決定される際の管理装置ＩＤ等を例示する。
【００７８】
【表１】
2011215029.tif 000003
【００７９】
【表２】
2011215029.tif 000004
【００８０】
ステップＳ１４の実行後、各管理装置３０のメモリ３６には、表１に示すような５つの管理装置ＩＤからなる管理装置ＩＤ群が記録される。
【００８１】
ステップＳ１５の実行後、各管理装置３０のメモリ３６には、表２に示すように、管理装置ＩＤが昇順にソートされ、蓄電ユニットＡ１、Ａ３、Ａ２、Ａ５、Ａ４の順になる。
【００８２】
そして、表２に示すように、蓄電ユニットＡ１の管理装置３０では、自己の管理装置ＩＤが最小であるので、蓄電ユニットＡ１の管理装置３０がマスター管理装置３１となり、その他の管理装置３０がスレーブ管理装置３２となる。
【００８３】
さらに、蓄電ユニットＡ１の管理装置３０は、上記順序によれば最初であるので、例えば「０００」を自己のアドレスとして設定する。蓄電ユニットＡ２〜Ａ５の管理装置３０は、上記順序に対応して「０００」から連番に自己のアドレスを設定する。
【００８４】
以上のようにして、各管理装置３０は、重複しないアドレスを設定することができ、また、どのアドレスがどの管理装置３０に対応しているかを把握することができる。これにより、スレーブ管理装置３２は、測定データや状態情報をマスター管理装置３１に送信することができ、また、マスター管理装置３１は、特定のスレーブ管理装置３２に対して測定データや状態情報を要求する情報等を送信することができる。
【００８５】
なお、このようなマスター選定処理やアドレス設定処理は、任意のタイミングで行ってもよいが、各管理装置３０の電源投入後のイニシャル処理として行うことが望ましい。
【００８６】
以上に説明したように、本実施形態に係る管理システム１では、蓄電ユニットＡ１〜Ａ５の管理装置３０のうち何れか一つがマスター機能を発揮するか否かが自動的に決定される。すなわち、全ての管理装置３０が有する管理装置ＩＤを相互に共有し、それらの管理装置ＩＤ群を、全管理装置３０に共通の選択基準をもって一つの管理装置ＩＤを選定し、当該管理装置ＩＤを有する管理装置３０をマスター管理装置３１とし、それ以外の管理装置３０がスレーブ管理装置３２とする。
【００８７】
すなわち、マスター管理装置３１を予め設定することなく、複数の管理装置３０から自動的にマスター管理装置３１が設定される。これにより、各管理装置３０にマスター又はスレーブとして機能させるための設定をすることが不要となり、設定の手間を省くことができる。さらに、各管理装置３０は、自動的にマスター管理装置３１を決定するように構成されているため、上位管理システムＢは、マスター管理装置３１との通信を行うように構成することができ、その通信制御に関する回路やプログラムを簡易に構築することができる。特に、管理装置の減少や新たな管理装置の増設等の管理装置の増減があったとしても、各管理装置各々が実行するマスターかスレーブかを決定するための処理動作自体は変更が必要となるものではないため、各管理装置で行う動作プログラム等のソフトウェアの変更の必要性を抑制できる。よって、本発明は、他の管理装置の増減に対しても容易に対応可能である。
【００８８】
さらに、マスター機能を発揮する専用の管理装置やスレーブとして機能する管理装置のそれぞれを別々に製造する必要がないので、マスター管理装置とスレーブ管理装置とを同様な回路や同様の構成の管理装置を製造すればよい。このため、本発明に係る管理装置は、量産化に好適であり、コストを低減することができる。
【００８９】
また、マスター・スレーブの関係が自動的に決まると共に、各管理装置３０のアドレスも自動的に定まるので、アドレスの設定を行う手間を省くことができる。特に、マスターかスレーブかを決定処理と同様に、管理装置の減少や新たな管理装置の増設等の管理装置の増減があったとしても、各管理装置各々が実行するアドレス設定の処理動作自体は変更が必要となるものではないため、各管理装置で行う動作プログラム等のソフトウェアの変更の必要性を抑制できる。よって、本発明は、他の管理装置の増減に対しても容易に対応可能である。
【００９０】
さらに、アドレスの設定に際しては、管理装置ＩＤ（製造番号）そのものをアドレスに用いておらず、管理装置ＩＤの順序に基づいて各管理装置３０のＣＡＮ通信部３７を利用しての通信に用いるアドレスを設定した。このため、管理装置ＩＤがいかなるビット数であっても、ＣＡＮ通信部３７のアドレス長は任意の大きさに設定することができる。したがって、ＣＡＮ通信部３７のアドレス長を小さくし、送信するデータの大きさを小さくし、データ送受信の速度が遅延することを防止することができる。
【００９１】
管理システム１では、マスター管理装置３１には、全蓄電ユニットＡ１〜Ａ５における電池セル１１に係る測定データや状態情報が集中的に管理される。マスター管理装置３１は、それらの測定データや状態情報に基づき、全蓄電ユニットＡ１〜Ａ５における電池セル１１が正常に稼働しているか否かを判定し、その結果をアライブ情報ないしはエラー情報として上位管理システムＢに送信する。これにより、電池セル１１が正常に稼働しているか否かを把握すると共に、異常が生じた場合には迅速に異常が生じた旨を管理者等に通知することができる。
【００９２】
このように、管理システム１に複数の蓄電ユニットＡ１〜Ａ５が設けられていても、上位管理システムＢとの通信を行うのはマスター管理装置３１のみであるので、上位管理システムＢは一つの管理装置との間でアクセス管理・制御をすればよい。これにより、上位管理システムＢのアクセス管理・制御の開発に係る費用や時間を大幅に低減することができる。
【００９３】
さらに、上位管理システムＢが全蓄電ユニットＡ１〜Ａ５の電池セル１１に係る測定データ及び状態情報を入手する場合であっても、一つのマスター管理装置３１と通信すればよいため、複数の管理装置３０のそれぞれと通信が可能になるまで待つ必要が無く、円滑に迅速に測定データ及び状態情報の送受信が可能となる。
【００９４】
また、管理装置３０は、通信モジュールが着脱可能なものとしている。このような構成とすることにより、通信モジュールと管理装置３０とを別々に製造できるので、歩留まりを向上することができ、また開発に係る時間やコストを低減することが期待できる。
【００９５】
〈実施形態２〉
実施形態１では、マスター選定処理においては、各管理装置３０において自己の管理装置ＩＤが最小の管理装置ＩＤであるか否かによりマスター管理装置３１を選定した。しかしながら、マスター管理装置３１を選定するための選定基準はこのような方法に限定されず、例えば、各管理装置３０が通信モジュール４１を有するか否かを表す付加情報を用いてもよい。
【００９６】
図７に基づいて、実施形態２に係るマスター選定処理について説明する。図７は、実施形態２に係るマスター選定処理及びアドレス決定処理のフロー図である。なお、実施形態１と同一のステップについては同一の符号を付し、重複する説明は省略する。また、実施形態２において、蓄電ユニットＡ１〜Ａ３には通信モジュール４１が装着されており、蓄電ユニットＡ４〜Ａ５には通信モジュール４１が装着されていないものとする。
【００９７】
ステップＳ１０の実行後、各管理装置３０は、自己の管理装置ＩＤと共に、付加情報を制御部３５の制御によりＣＡＮ通信部３７を利用してアドレス「０」に送信する（ステップＳ１１’）。付加情報とは、共に送信される管理装置ＩＤで指定される管理装置３０が通信モジュール４１を有するか否かを表す情報である。
【００９８】
例えば、各管理装置３０の制御部３５は、通信モジュール４１が管理装置３０に設けられているか否を確認するためのコマンドを通信モジュール４１に発行する。
【００９９】
通信モジュール４１が設けられている蓄電ユニットＡ１〜Ａ３の各管理装置３０は、通信モジュール４１がコマンドに対する応答を返したことを検知して、通信モジュール４１を有していることを確認することで、通信モジュール４１を有する旨を表す付加情報を生成して、管理装置ＩＤと共に他の管理装置３０に送信する。
【０１００】
一方、通信モジュール４１が搭載されていない管理装置３０は、通信モジュール４１がコマンドに対する応答を返さないことを検知して、通信モジュール４１を有していないことを確認することで、通信モジュール４１を有さない旨を表す付加情報を生成して、管理装置ＩＤと共に他の管理装置３０に送信する。
【０１０１】
以後、各管理装置３０の制御部３５は、実施形態１と同様なステップＳ１２〜Ｓ１５までを実行する。そして、各管理装置３０の制御部３５は、受信してメモリ３６に記録された管理装置ＩＤ群のうち、これら管理装置ＩＤ群とともに受信した付加情報群に基づいて、通信モジュール４１を有する管理装置３０の管理装置ＩＤを選択する。選択された管理装置ＩＤが複数あった場合には、この選択された管理装置ＩＤのうち昇順にソートした際の最小のものが自己の管理装置ＩＤと一致する場合（ステップＳ１６’：Ｙｅｓ）、その管理装置３０がマスター管理装置３１として機能するように予め準備されているマスターとしての機能の実行することを許可し（ステップＳ１７）、その他の管理装置３０がスレーブ管理装置３２として機能するように予め準備されているマスターとしての機能の実行することを禁止する（ステップＳ１８）。
【０１０２】
表３に、ステップＳ１５〜ステップＳ１９においてマスター管理装置３１、スレーブ管理装置３２及びアドレスが決定される際の管理装置ＩＤ等を例示する。
【０１０３】
【表３】
2011215029.tif 000005
【０１０４】
表３に示すように、蓄電ユニットＡ４は、管理装置ＩＤは最小ではあるものの、付加情報は、「通信モジュール無し」であるので、マスター管理装置３１としては機能させることができないことから、マスターとしての選定対象から外されることとなる。このため、付加情報が「通信モジュール有り」である蓄電ユニットＡ１〜Ａ３の管理装置３０の中から、マスター管理装置３１が選定されることとなる。実施形態２においては、蓄電ユニットＡ１〜Ａ３の中で管理装置ＩＤが最小である蓄電ユニットＡ１がマスター管理装置３１として選定される。
【０１０５】
以上に説明したように、管理装置３０は、通信モジュール４１が設けられているか否かも加味して、マスター機能を発揮するか否かを決定するように構成されている。このため、通信モジュール４１を有してマスター管理装置３１となり得る管理装置３０だけを対象としてマスター管理装置３１を選定すればよいため、この選定処理に要する時間を短縮することができる。
【０１０６】
なお、管理装置３０には、通信モジュール４１が別に設けられていたが、これに限られない。例えば、管理装置３０と通信モジュール４１の機能を１チップ若しくは複数チップ（例えば、通信用チップと管理用チップとを積層し、両チップを樹脂で封止したマルチチップ構成のもの等）からなる一体型の管理装置としてもよい。
【０１０７】
このような一体型の管理装置を採用した場合、マスター選定処理の結果に応じて通信モジュールが起動可能若しくは起動不能となるように構成してもよい。
【０１０８】
通信モジュール４１が起動可能とは、例えば、電源供給や起動信号の供給が可能なようにスイッチ手段をオンにすることや、当該起動信号の供給が可能なように配線又は起動信号供給線の電圧レベルを固定せず、起動信号の変化に応じて通信モジュールが起動可能とすることなどが挙げられる。通信モジュール４１が起動不能とは、例えば、電源供給や起動信号の供給がされないようにスイッチ手段をオフにすることや、起動信号が遮断されるように配線を予め断線しておくことや起動信号の電圧レベルを固定することが挙げられる。
【０１０９】
このような一体型の管理装置では、マスター選定処理にてマスターと選定された管理装置に対する通信モジュール４１は起動させ、スレーブと選定された管理装置に対する通信モジュール４１は起動させないようにして、マスター選定処理の結果に応じて通信モジュールの起動可能・不能を切り替えるだけで、マスター管理装置３１となることができる管理装置を容易に設定することができる。特に、すべての管理装置３０に通信モジュール４１が設けられている場合には、スレーブとなる管理装置３０の通信モジュール４１の起動を抑制することにより消費電力を抑えることができる。
【０１１０】
〈他の実施形態〉
なお、上述の実施形態は本発明の好適な実施の一例ではあるがこれに限定されるものではなく、本発明の要旨を逸脱しない範囲において種々変形実施可能である。
【０１１１】
実施形態１においては管理装置３０がいずれも通信モジュール４１を設けているので、実施形態２のような通信モジュール４１の有無を示す付加情報やマスター選定処理にてその付加情報を用いた選択処理はあえて必要としないものの、管理装置３０のいずれに通信モジュール４１が設けられている場合であっても実施形態２のような通信モジュール４１の有無を示す付加情報やマスター選定処理にてその付加情報を用いた選択処理をするようにしてもよい。この場合、マスターと選定された管理装置３０との通信モジュール４１に故障等が生じたとしても、各管理装置に対してあらためてイニシャル処理を行わせることで別の管理装置３０を新たなマスターとして選定させることに容易に対応できる。例えば、各管理装置があらためてイニシャル処理を実行することで、当初マスターとして選定されていた管理装置３０が通信モジュール４１に対してコマンドを発行したとしても、故障により通信モジュール４１からの応答を制御部３５にて受信することができないので、「通信モジュール無し」の旨を示す付加情報（管理装置がいずれも通信モジュールを有するのが前提となっていれば「通信モジュールに異常有り」を示す付加情報と解釈することもできる）を管理装置ＩＤとともに送信することとなる。このため、マスター選定処理においてこの付加情報を用いて異常があると判断される通信モジュール４１を有する管理装置をマスター候補から外すことができ、異常がないと判断される通信モジュール４１を有する管理装置の中からマスターを選定することができる。
【０１１２】
上述した実施形態では、マスター選定処理においては、管理装置ＩＤ群を昇順にソートしたがこれに限られず、降順でもよい。さらに、昇順・降順に限られず、複数の管理装置３０の全てが管理装置ＩＤ群を或る特定の順序に並び替えられればよい。また、マスター選定処理では、最小の管理装置ＩＤを一つ選び出す選択基準を用いたが、このような選択基準に限定されず、最大の管理装置ＩＤを一つ選び出す選択基準でもよい。さらに、最小又は最大の管理装置ＩＤを選び出す選択基準に限らず、複数の管理装置３０の全てが管理装置ＩＤ群から或る特定の管理装置ＩＤを選び出せる基準であればよい。
【０１１３】
また、電池セル１１の物理量にも特別な制限はない。例えば、上記実施形態の場合、電池セル１１に関する電圧、電流等の物理量のみならず、電池セル１１が設置されている環境の温度等の物理量であっても勿論構わない。さらに、監視対象物は、電池セル１１に限られず、物理量を測定しうる任意の物を対象とすることができる。
【０１１４】
さらに、上述した実施形態では、図１及び図２に示されるように、蓄電ユニットＡ１〜Ａ５（各蓄電ユニットＡ１〜Ａ５中の電池セル１１）が負荷５０に対して並列接続されたものを例に示しているが、これに限るものではない。例えば、負荷への出力を大きくするために、蓄電ユニットＡ１〜Ａ５中の電池セル１１が負荷に対して直列に接続されるようにしてもよい。各蓄電ユニットＡ１〜Ａ５の電池セル１１同士を直列に接続することは、図８に示すように、電池セル１１を構成する各電池の接続を次のようにすれば可能である。つまり、蓄電ユニットＡ１中で直列接続された電池セル１１の一端に位置する電池の一方の電極を負荷に接続し、電池セル１１の他端に位置する電池の他方の電極を、次段の蓄電ユニットＡ２の中で直列接続された電池セル１１の一端に位置する電池の一方の電極に接続する。同様に、蓄電ユニットＡｘ（ｘは２，３，４のいずれか）の電池セル１１の他端に位置する電池の他方の電極は次段の蓄電ユニットＡ（ｘ＋１）の電池セル１１の一端に位置する電池の一方の電極に接続する。最終段となる蓄電ユニットＡ５の電池セル１１の他端の電池の他方の電極は負荷に接続する。このような接続とすることで、各蓄電ユニットＡ１〜Ａ５の電池セル１１同士を直列に接続することができる。このような構成にしても、本発明のマスター選定処理やアドレス設定処理等を用いることで、上述の実施形態での説明と同様な効果が期待できるものである。
【産業上の利用可能性】
【０１１５】
本発明は分散配置された多数の監視対象物を上位管理システムで一元的に管理するシステムを構築する産業分野や、その保守、運用を行う産業分野において良好に利用することができる。
【符号の説明】
【０１１６】
Ａ１〜Ａ５    蓄電ユニット（管理ユニット）
Ｂ     上位管理システム
Ｃ     インターネット網
Ｄ     通信網
１     管理システム
１１   電池セル
２１   監視装置
３０   管理装置
３１   マスター管理装置
３２   スレーブ管理装置
３３   通信ケーブル
３５   制御部
３６   メモリ
３７   ＣＡＮ通信部
３８   インタフェース部
３９   ＲＯＭ
４１   通信モジュール
５０   負荷
８１   電磁遮断器
９１、９２    パソコン
【図２】
2011215029.tif 000006
【図３】
2011215029.tif 000007
【図４】
2011215029.tif 000008
【図５】
2011215029.tif 000009
【図６】
2011215029.tif 000010
【図７】
2011215029.tif 000011
【図８】
2011215029.tif 000012
【図１】
2011215029.tif 000013